(57)【要約】【課題】蓄積された医療データを有効活用する。【解決手段】サーバ１０では、入力された新規の医療データ又は医療に関するデータの内容と、ＤＢ２０に保存されている既存の医療データ又は医療に関するデータの内容とがデータ解析され、そのデータ解析結果に基づいて付加的な医療データ又は医療に関するデータが生成される。そして、生成された付加データと新規の医療データ又は医療に関するデータとがＤＢ２０に保存され、ＤＢ２０内のデータ更新が行われる。【選択図】図１
2005078259.tif 000002
【特許請求の範囲】
【請求項１】
医療データのデータベースを備えたサーバと、前記サーバに通信ネットワークを介して接続された端末と、からなる医療データ提供システムにおいて、
前記サーバは、
新規医療データが入力される毎に当該新規医療データの内容及び前記データベースに保存された既存医療データの内容を解析するデータ解析手段と、
前記データ解析の結果に基づいて前記データベースのデータ更新を行うデータ更新手段と、
前記端末からの要求アクセスに応じて前記データベース内の医療データを前記通信ネットワークを介して配信するデータ配信手段と、
を備えることを特徴とする医療データ提供システム。
【請求項２】
前記データ解析手段は、新規の医療データと既存の医療データとで一致する又は関連するデータを検索し、
前記データ更新手段は、前記データ解析により検索された一致する又は関連するデータに基づいて、データベースのデータ更新を行うことを特徴とする請求項１に記載の医療データ提供システム。
【請求項３】
前記データベースには、医療データとともに医療に関するデータが保存され、
前記データ解析手段は、新規の医療に関するデータの内容及び前記データベースに保存された既存の医療に関するデータの内容を解析し、
前記データ更新手段は、前記データ解析の結果に基づいて、前記データベースのデータ更新を行うことを特徴とする請求項１に記載の医療データ提供システム。
【請求項４】
前記データ解析手段は、新規の医療に関するデータと既存の医療に関するデータとにおいてデータの出現頻度を統計し、統計された出現頻度の高いデータに基づいて、データベースのデータ更新を行うことを特徴とする請求項３に記載の医療データ提供システム。
【発明の詳細な説明】
【技術分野】
【０００１】
本発明は、医療データ又は医療に関するデータを提供する医療データ提供システムに関する。
【背景技術】
【０００２】
医療の分野では、患者を診察した際に作成されるカルテや検査で撮影されたＸ線画像、血圧、血糖値等の測定結果を電子情報として保存する、いわゆる電子カルテが実現されている。病院内で診療を受けている全ての患者に対して電子カルテを作成し、患者及びその診療状況を電子カルテにより管理することにより、病院内の異なる診療科間でも情報を共有化することができるとともに、カルテの内容を容易に確認することができる。
【０００３】
従来から各診療科に設置された端末とデータベースを有するサーバとをＬＡＮ（Local Area Network）により接続したシステムが構築されている。このようなシステムにおいて、各診療科の端末で作成された電子カルテのデータを順次サーバのデータベースに転送して蓄積していくことにより、何れの端末からでもデータベースに蓄積された電子カルテを参照することができる。
【０００４】
例えば、データベースに蓄積された電子カルテを利用して、検査で撮影された画像上から病変部と推測される画像領域を病変部の候補として検出する診断支援装置が開発されている（例えば、特許文献１参照）。この診断支援装置は、医師が客観的な診断を行えるように病変部の候補を医師に提示して診断支援を行うものである。
【特許文献１】特開２００３−１２６０４５号公報
【発明の開示】
【発明が解決しようとする課題】
【０００５】
しかしながら、従来のシステムでは、電子カルテの管理や利用を目的としているため、データ収集ばかりが進められる。従って、データベースにはデータが一方的に蓄積されていくばかりであり、データが利用しやすく発展的なものとはならない。また、病院管理者側の使い勝手が優先され、患者が患者自身の電子カルテを閲覧したり、病気に関する知識を得ることができるような環境ではなかった。
【０００６】
本発明の課題は、蓄積された医療データを有効活用することができる医療データ提供システムを提供することである。
【課題を解決するための手段】
【０００７】
医療データのデータベースを備えたサーバと、前記サーバに通信ネットワークを介して接続された端末と、からなる医療データ提供システムにおいて、
前記サーバは、
新規医療データが入力される毎に当該新規医療データの内容及び前記データベースに保存された既存医療データの内容を解析するデータ解析手段と、
前記データ解析の結果に基づいて前記データベースのデータ更新を行うデータ更新手段と、
前記端末からの要求アクセスに応じて前記データベース内の医療データを前記通信ネットワークを介して配信するデータ配信手段と、
を備えることを特徴とする。
【０００８】
ここで、医療データとは、例えば電子カルテ、病理、症例、薬剤に関する情報等、診察や治療に直接使用されるデータをいう。
【０００９】
請求項２に記載の発明は、請求項１に記載の医療データ提供システムにおいて、
前記データ解析手段は、新規の医療データと既存の医療データとで一致する又は関連するデータを検索し、
前記データ更新手段は、前記データ解析により検索された一致する又は関連するデータに基づいて、データベースのデータ更新を行うことを特徴とする。
【００１０】
請求項３に記載の発明は、請求項１に記載の医療データ提供システムにおいて、
前記データベースには、医療データとともに医療に関するデータが保存され、
前記データ解析手段は、新規の医療に関するデータの内容及び前記データベースに保存された既存の医療に関するデータの内容を解析し、
前記データ更新手段は、前記データ解析の結果に基づいて、前記データベースのデータ更新を行うことを特徴とする。
【００１１】
ここで、医療に関するデータとは、例えばホームページ上で病気について書き込まれたメッセージ、どの病院にどの診察科があるのか等、病院に関する情報等、医療に間接的に関わるデータをいう。
【００１２】
請求項４に記載の発明は、請求項３に記載の医療データ提供システムにおいて、
前記データ解析手段は、新規の医療に関するデータと既存の医療に関するデータとにおいてデータの出現頻度を統計し、統計された出現頻度の高いデータに基づいて、データベースのデータ更新を行うことを特徴とする。
【発明の効果】
【００１３】
請求項１に記載の発明によれば、新規の医療データが入力されると、その新規の医療データの内容及び既存医療データの内容を解析し、そのデータ解析結果に基づいてデータベースのデータ更新を行うので、単に医療データを蓄積していくのではなく、医療データを利用しやすくなるようにデータベースを構築することができる。従って、データベース内に蓄積された医療データを有効活用することができる。また、サーバから端末に医療データが配信されるので、電子カルテや診察支援情報等の医療データを容易に取得することができる。従って、病院の医師だけでなく、患者も自分自身の電子カルテや病気に関する情報等を取得することができ、病気への理解を深めることができる。
【００１４】
請求項２に記載の発明によれば、新規医療データと既存医療データとで一致するデータ又は関連するデータに基づいてデータ更新を行うので、例えば一致する又は関連するデータに基づいて最新の情報を盛り込んだ付加的なデータを生成してデータベースに保存する等してデータ更新を行うことにより、発展的なデータベースを構築することができる。
【００１５】
請求項３に記載の発明によれば、その新規の医療に関するデータの内容及びデータベース内の既存の医療に関するデータの内容を解析し、そのデータ解析結果に基づいてデータベースのデータ更新を行う。従って、医療データだけでなく、データベース内の医療に関するデータについても有効活用することができる。
【００１６】
請求項４に記載の発明によれば、新規の医療に関するデータと既存の医療に関するデータとにおけるデータの出現頻度を統計し、統計された出現頻度の高いデータに基づいて、データ更新を行うので、例えば頻繁に出現するデータに基づいて汎用的で活用しやすい付加的なデータを生成してデータベースに保存する等してデータ更新を行うことにより、発展的なデータベースを構築することができる。
【発明を実施するための最良の形態】
【００１７】
本実施の形態では、新規の医療データ又は医療に関するデータが入力されると、データ解析を行って付加的なデータを生成し、当該生成された付加的なデータと入力された新規の医療データ又は医療に関するデータとをデータベースに保存してデータベース内の既存データの更新を行う例を説明する。
【００１８】
まず、構成を説明する。
図１に、本実施の形態における医療データ提供システム１００のシステム構成を示す。
図１に示すように、医療データ提供システム１００は、サーバ１０、患者端末５０ａ、５０ｂ、病院端末５０ｃ、５０ｄから構成され、各装置は通信ネットワークＮを介して接続されている。なお、図１では、１台のサーバ１０に、２台の患者端末５０ａ、５０ｂ、２台の病院端末５０ｃ、５０ｄの合計４台のクライアント端末が接続された例を示したが、接続されるクライアント端末の台数及び設置個所は特に限定しない。
【００１９】
まず、サーバ１０について説明する。
図２に、サーバ１０の内部構成を示す。図２に示すように、サーバ１０は、制御部１１、入力部１２、表示部１３、通信部１４、ＲＡＭ（Random Access Memory）１５、記憶部１６、データベース（以下、DataBase;ＤＢという。）２０から構成される。
【００２０】
制御部１１は、ＣＰＵ（Central Processing Unit）等から構成され、記憶部１６に格納されているシステムプログラムの他、本発明に係るデータ更新処理プログラム（図１０参照）等をＲＡＭ１５に展開して、当該プログラムとの協働により処理動作を統括的に制御する。
【００２１】
データ更新処理では、入力された新規の医療データ又は医療に関するデータの内容と、ＤＢ２０に保存されている既存の医療データ及び医療に関するデータの内容とをデータ解析し、そのデータ解析結果に基づいて付加的な医療データ又は医療に関するデータ（以下、これを付加データという。）を生成する。そして、生成された付加データと新規の医療データ又は医療に関するデータとをＤＢ２０に保存し、ＤＢ２０内のデータ更新を行う。すなわち、データ更新処理プログラムと制御部１１との協働により、データ解析手段、データ更新手段を実現することができる。
【００２２】
また、各端末５０ａ〜５０ｄから医療データ又は医療に関するデータの要求アクセスを受けると、制御部１１は要求された医療データ又は医療に関するデータをＤＢ２０から取得する。そして、取得された医療データ又は医療に関するデータを要求アクセスした端末５０ａ〜５０ｄに通信部１４を介して配信させる。すなわち、通信部１４と制御部１１による通信制御により、データ配信手段を実現することができる。
【００２３】
入力部１２は、キーボードやマウス等のポインティングディバイスを備え、操作されたキーに対応する操作信号を制御部１１に出力する。
【００２４】
表示部１３は、ＬＣＤ（Liquid Crystal Display）やＣＲＴ（Cathode Ray Tube）等から構成され、各種操作画面や制御部１１による処理結果などの各種表示情報を表示する。
【００２５】
通信部１４は、ネットワークインターフェイスカードやモデム等の通信用のインターフェイスを備えて構成され、通信ネットワークＮ上の外部機器と相互に情報の送受信を行う。例えば、各端末５０ａ〜５０ｄから新規の医療データ又は医療に関するデータを受信するとともに、要求された医療データを端末５０ａ〜５０ｄに送信する。
【００２６】
ＲＡＭ１５は、制御部１１によって実行される各種プログラム及びこれらプログラムに係るデータを一時的に記憶するワークエリアを形成する。
【００２７】
記憶部１６は、磁気的又は光学的記録媒体、若しくは半導体メモリで構成され、システムプログラムの他、データ更新処理プログラム及び各プログラムで処理されたデータ等を記憶する。
【００２８】
記憶部１６は、ＤＢ２０内のデータへのアクセスが許可されたユーザのユーザＩＤ、医療データにアクセスする際に必要となるパスワード等の認証情報や、ユーザが使用する端末のＩＰアドレス、ファイアウォールの設定情報等の通信情報を管理するための管理ファイル（図示せず）を備えている。
【００２９】
また、例えば患者Ａにはその患者Ａに関する電子カルテのデータのみを提供し、医師Ｃには全ての患者に関する電子カルテの提供を許可するといったように、ユーザとそのユーザに対する制限情報が格納された制限ファイル（図示せず）を備える。これは、医療データには電子カルテ等の個人のプライバシーに係るデータが含まれるため、ユーザ毎に医療データの提供を制限することを目的とするものである。
【００３０】
さらに、記憶部１６は、医療データ又は医療に関するデータを提供するウェブサイト（以下、医療データ提供サイトという。）のコンテンツデータを記憶している。医療データ提供サイトには、メッセージボードを提供する情報交換サイトや、医師又は患者に病気や薬剤に関する情報を提供する診察支援サイト、ＤＢ２０に保存されている電子カルテを閲覧する又は医師が電子カルテを作成してＤＢ２０に保存することができる電子カルテ提供サイト等が含まれ、これら各サイトのコンテンツデータを記憶部１６は記憶する。
【００３１】
ＤＢ２０は、医療データ又は医療に関するデータを格納するための大容量メモリから構成される。ここで、医療データには、患者の診察に係る電子カルテ、医師の診察を支援するための診察支援情報等のデータが含まれる。また、医療に関するデータには、医療データ提供サイトのメッセージボードで書き込まれたメッセージデータ、病院、クリニック等の医療機関に関する病院情報等が含まれる。
【００３２】
図３に、ＤＢ２０のデータ構成例を示す。
図３に示すように、ＤＢ２０には、電子カルテ、診察支援情報等の医療データが格納される。電子カルテには、患者に関する情報（以下、患者情報という。）、検査に関する情報（以下、検査情報という。）、患者が受診した診察に係る情報（以下、診察情報とう。）、患者の薬歴に関する情報（以下、薬歴情報という。）、検査で撮影により得られた画像ファイル等が含まれる。患者情報の項目には、患者氏名、患者ＩＤ（患者を個別に識別するための患者に固有の識別情報）、性別、年齢等のデータが格納され、検査情報の項目には、検査日、検査種類（例えば、ｘ線撮影、血液検査等）、検査結果（例えば、血液検査における測定値等）、撮影による検査の場合はその撮影画像ファイル名等のデータが格納される。
【００３３】
また、診察情報の項目では、診察日、医療機関名、症状、所見、投薬等のデータが格納され、薬歴情報の項目では、投薬日、薬剤名、分量等のデータが格納される。さらに、画像ファイルの項目では、撮影日、撮影装置、撮影部位、画像データ等のデータが格納される。
【００３４】
診察支援情報には、症例や病理に関する情報（以下、病理情報という。）、薬剤に関する情報（以下、薬剤情報という。）等が含まれる。病理情報には、病名、症例、有効な薬剤等のデータが格納され、薬剤情報には、薬剤名、用法・用量、有効成分、他の薬剤との相互作用等のデータが格納される。
【００３５】
また、医療に関するデータとして、医療データ提供サイトのメッセージボードに書き込まれたメッセージのデータ、病院情報等が格納される。
なお、図３に示した医療データ及び医療に関するデータはその一例であり、これに限定されない。
【００３６】
次に、患者端末５０ａ、５０ｂ、病院端末５０ｃ、５０ｄについて説明する。
患者端末５０ａ、５０ｂは、患者により使用される端末であり、病院端末５０ｃ、５０ｄは、病院等の医療機関に設置され、医師により使用される端末である。
患者端末５０ａ、５０ｂ、病院端末５０ｃ、５０ｄは、サーバ１０により運用される医療データ提供サイトにアクセスして医療データを取得する。
【００３７】
以下、患者端末５０ａ、５０ｂ、病院端末５０ｃ、５０ｄの内部構成について説明するが、患者端末５０ａ、５０ｂ、病院端末５０ｃ、５０ｄは略同様の構成によってなるため、その構成については、患者端末５０ａを代表として説明する。
【００３８】
図４に、患者端末５０ａの内部構成を示す。
図４に示すように、患者端末５０ａは、制御部５１、入力部５２、表示部５３、通信部５４、ＲＡＭ５５、記憶部５６から構成される。
【００３９】
制御部５１は、ＣＰＵ等から構成され、記憶部５６に格納されているシステムプログラムの他、本発明に係るデータ取得処理プログラム（図５参照）等をＲＡＭ５５に展開して、当該プログラムとの協働により処理動作を統括的に制御する。
【００４０】
入力部５２は、キーボードやマウス等のポインティングディバイスを備え、操作されたキーに対応する操作信号を制御部５１に出力する。
【００４１】
表示部５３は、ＬＣＤやＣＲＴ等から構成され、各種操作画面や制御部５１による処理結果などの各種表示情報を表示する。
【００４２】
通信部１４は、ネットワークインターフェイスカードやモデム等の通信用のインターフェイスを備えて構成され、通信ネットワークＮ上の外部機器と相互に情報の送受信を行う。例えば、サーバ１０により運用される医療データ提供サイトにアクセスして新規の医療データを送信するとともに、医療データ提供サイトにおいて検索された医療データや、医療に関するデータをサーバ１０から受信する。
【００４３】
ＲＡＭ５５は、制御部５１によって実行される各種プログラム及びこれらプログラムに係るデータを一時的に記憶するワークエリアを形成する。
【００４４】
記憶部５６は、磁気的又は光学的記録媒体、若しくは半導体メモリで構成され、システムプログラムの他、データ取得処理プログラム及び各プログラムで処理されたデータ等を記憶する。
【００４５】
次に、本実施の形態における動作を説明する。
まず、図５を参照して、患者端末５０ａ、５０ｂ、病院端末５０ｃ、５０ｄにより実行されるデータ取得処理について説明する。ここでは、病院端末５０ｃにより実行される例を説明するが、他の端末５０ａ、５０ｂ、５０ｄにおいても同様の処理がなされる。
【００４６】
図５に示すデータ取得処理では、まず医師により医療データ提供サイトへのアクセスが指示されると、通信部５４を介してサーバ１０に接続され、医療データ提供サイトへのアクセスが行われる（ステップＳ１）。正常にアクセスが行われると、図６に示すようなユーザ認証画面の画面データがサーバ１０から送信され、表示部５３に表示される。
【００４７】
図６に示すように、ユーザ認証画面では、医療データ提供サイトへのログイン認証及びユーザ特定のために、ユーザ名、ユーザＩＤ、パスワードなどのユーザ認証情報を入力する入力領域ａ１が表示される。医師又は患者等のユーザは、この入力領域にユーザ認証情報を入力し、入力した内容でよければ画面下部に表示されたＯＫキーｋ１を押下する。
【００４８】
ユーザ認証画面において、入力部５２を介してユーザの認証情報が入力され（ステップＳ２）、ＯＫキーｋ１が押下されると、入力されたユーザの認証情報がサーバ１０に送信される。そして、サーバ１０からの応答情報に基づいてユーザがログイン認証されたか否かが判別される（ステップＳ３）。ユーザがログイン認証されなかった場合（ステップＳ３；Ｎ）、認証エラーメッセージが表示部５３に表示され（ステップＳ４）、ステップＳ２の処理に戻って再度ユーザ認証が行われる。
【００４９】
一方、ユーザがログイン認証された場合（ステップＳ３；Ｙ）、サーバ１０から医療データ提供サイトのトップページの画面データが送信され、表示部５３に表示される（ステップＳ５）。
【００５０】
図７に、トップページの画面例を示す。
図７に示すように、トップページでは、「ME.com」、「DO-ctorNetwork」、「ClinicI」、「MyCarte」の各メニューアイコンａ２〜ａ５が表示される。「ME.com」は患者同士、医者同士、患者と医師等が自由に書込ができるメッセージボードを提供する情報交換サイトであり、「DO-ctorNetwork」は、医師又は患者に病気や薬剤に関する情報を提供する診察支援サイトである。また、「ClinicI」は患者からの質問の書込に対して医師がその応答書き込むためのメッセージボードを提供する情報交換サイトであり、「MyCarte」はＤＢ２０に保存されている電子カルテを閲覧する又は医師が電子カルテを作成してＤＢ２０に保存することができる電子カルテ提供サイトである。このトップページにおいて、ユーザは目的に応じたサイトのメニューアイコンａ２〜ａ５を押下する。
【００５１】
なお、各サイトでは、ユーザによって利用制限が設けられている。例えば、電子カルテ提供サイトでは、ユーザが患者であると特定された場合はその患者の電子カルテの閲覧しか許可されないが、ユーザが医師であると特定された場合はその医師に許されている範囲で電子カルテの閲覧が許可されるとともに、電子カルテの作成についても許可される。
【００５２】
トップページにおいて、何れかのメニューアイコンが押下され、利用するメニューサイトが選択されると（ステップＳ６）、選択されたサイトにアクセスが行われ、各サイトにおける処理に移行する。
【００５３】
まず、「MyCarte」のメニューサイトが選択された場合について説明する。
「MyCarte」のメニューアイコンａ５が押下されると（ステップＳ６；MyCarte）、電子カルテサイトにアクセスが行われ、サーバ１０から電子カルテサイトのメニュー画面（図示せず）の画面データが送信される。メニュー画面には、電子カルテの作成、電子カルテの閲覧の各メニューが選択可能に表示される。そして、このメニュー画面において電子カルテの作成又は閲覧の何れかのメニューが選択されると（ステップＳ７）、選択されたメニューの要求情報がサーバ１０に送信される。
【００５４】
サーバ１０では、記憶部１６の制限ファイルに基づいて、メニューを要求したユーザは情報提供を制限されているか否かが判別され、制限の有無により電子カルテの作成又は閲覧が制限される。そして、制限により電子カルテへのアクセスが禁止されている場合は、電子カルテの閲覧が禁止されていることを通知する通知情報がメニューを要求した端末５０ａ〜５０ｄに送信される。ここでは、電子カルテの閲覧、作成ともに制限されない場合を説明する。
【００５５】
電子カルテの作成メニューが選択された場合（ステップＳ７；作成）、サーバ１０から図８に示すような電子カルテの新規作成画面の画面データが送信され、表示部５３に表示される。
図８に示すように、新規作成画面では、画面上部に電子カルテを作成する医師名ｂ１（特定されたユーザ名）が表示されるとともに、電子カルテを作成する患者の氏名、性別を入力するための入力領域ｂ２が表示される。また、画像中央部にはカルテの内容を入力するための入力領域ｂ３が表示される。医師は、これら入力領域に患者氏名や、症状、所見、投薬内容等のカルテの内容等を入力し、入力した内容でよければ画面下部に表示されたＤＢ登録キーｋ２を押下する。
【００５６】
新規作成画面において電子カルテのデータが入力され、ＤＢ登録キーｋ２が押下されると、新規作成画面で入力されたデータに基づいて電子カルテのデータが作成される（ステップＳ８）。そして、作成された電子カルテのデータはサーバ１０に送信され（ステップＳ９）、本処理を終了する。
【００５７】
一方、電子カルテの閲覧メニューが選択された場合（ステップＳ７；閲覧）、サーバ１０から電子カルテの検索画面（図示せず）の画面データが送信され、表示部５３に表示される。この検索画面において電子カルテの検索キーワードが入力されると、電子カルテの要求情報とともに検索キーワードがサーバ１０に送信される（ステップＳ１０）。サーバ１０では、検索キーワードに該当する電子カルテが検索され、検索された電子カルテのデータが端末５０ｃに配信される。
【００５８】
電子カルテデータを受信した端末５０ｃでは、当該受信された電子カルテデータが表示部５３に表示され（ステップＳ１１）、本処理を終了する。
【００５９】
次に、「ME.com」又は「ClinicI」のメニューサイトが選択された場合について説明する。「ME.com」、「ClinicI」のメニューサイトは、どちらもメッセージボードを用いた情報交換サイトであり、その処理の流れは同様である。
医療データ提供サイトのトップページにおいて、「ME.com」又は「ClinicI」のメニューアイコンａ２、ａ４が押下されると（ステップＳ６；ME.com又はClinicI）、「ME.com」又は「ClinicI」の情報交換サイトにアクセスが行われ、サーバ１０から各サイトに応じたメッセージボードの画面データが送信されて表示部５３に表示される（ステップＳ１２）。
【００６０】
図９に、メッセージボードの画面例を示す。
図９に示すように、メッセージボードの画面では、新規メッセージを作成するための送信フォームｄ１が表示されるとともに、既にメッセージボードに書き込まれている各メッセージｄ２〜ｄ４が表示される。メッセージボードに書込を行う場合には、送信フォームにメッセージを入力し、送信を指示する。
【００６１】
このメッセージボード画面において、新規メッセージが入力されると、当該新規メッセージのデータがサーバ１０に送信され、サーバにおいてメッセージボードに転送された新規メッセージが書き込まれる（ステップＳ１３）。次いで、新規メッセージが追加されたメッセージボードの画面データがサーバ１０から転送され、表示部５３に再表示されると（ステップＳ１４）、本処理を終了する。
【００６２】
次に、「DO-ctorNetwork」のメニューサイトが選択された場合について説明する。
医療データ提供サイトのトップページにおいて、「DO-ctorNetwork」のメニューアイコンａ３が押下されると（ステップＳ６；DO-ctorNetwork）、病理情報、薬剤情報等の診察支援情報の検索画面（図示せず）の画面データがサーバ１０から送信され、表示部５３に表示される。
【００６３】
この検索画面において、診察支援情報の検索キーワードが入力されると、当該検索キーワードと診察支援情報を要求する要求情報とがサーバ１０に送信される（ステップＳ１５）。サーバ１０では、ＤＢ２０内で検索キーワードに該当する診察支援情報が検索され、検索された診察支援情報が端末５０ｃに配信される。
【００６４】
端末５０ｃでは、サーバ１０から診察支援情報が受信されると、当該診察支援情報が表示部５３に表示され（ステップＳ１６）、本処理を終了する。
【００６５】
次に、図１０を参照して、サーバ１０により実行されるデータ更新処理について説明する。このデータ更新処理は、電子カルテ、診察支援情報等の新規の医療データが入力された、或いはメッセージボードにおけるメッセージ等の新規の医療に関するデータが入力された場合に実行されるが、以下の説明では、電子カルテ、メッセージのデータが入力された例を説明する。
【００６６】
図１０に示すデータ更新処理では、電子カルテサイトにおいて新規の電子カルテデータが入力された又は情報交換サイトにおいて新規のメッセージデータが入力されたか否かが判別される（ステップＳ１０１）。新規の電子カルテデータが入力された場合は（ステップＳ１０１；電子カルテ）、ステップＳ１０２の処理に移行し、新規のメッセージのデータが入力された場合は（ステップＳ１０１；メッセージ）、ステップＳ１０７の処理に移行する。
【００６７】
まず、電子カルテの場合について説明する。
ステップＳ１０２では、入力された新規の電子カルテ及びＤＢ２０に既に保存されている既存電子カルテのデータ解析が行われ、新規電子カルテデータと既存電子カルテデータとで一致するデータ又は関連するデータの検索が行われる（ステップＳ１０３）。そして、一致するデータ又は関連するデータが検索されたか否かが判別される（ステップＳ１０４）。
【００６８】
例えば、同一患者で図１１（ａ）に示すような新規の電子カルテＣ１と、既存の電子カルテＣ２の場合、電子カルテＣ１、Ｃ２で一致する病名「流行性感冒」のデータｅ１が検索されるとともに、同じ年内に同じ病名で診察を受けたとして、電子カルテＣ１の診察日「２００３／３／１４」のデータｅ２、電子カルテＣ２の診察日「２００３／７／３」のデータｅ３が関連するデータとして検索される。
【００６９】
一致するデータ又は関連するデータが検索された場合（ステップＳ１０４；Ｙ）、一致するデータ又は関連するデータに基づいて付加データが生成される（ステップＳ１０５）。
【００７０】
図１１（ａ）に示した例では、病名「流行性感冒」のデータと、診察日「２００３／３／１４」、「２００３／７／３」のデータに基づいて、２００３年に入ってから「流行性感冒」にかかった回数がカウントされ、図１１（ｂ）に示すように、診察日「２００３／３／１４」における「流行性感冒」に対しては「今年１回目」の付加データｆ１が生成され、診察日「２００３／７／３」における「流行性感冒」に対しては「今年２回目」の付加データｆ２が生成される。また、各診察日が四季の変わり目（３〜４月、６〜７月、１０〜１１月、１２〜１月等）に該当するので、「季節の変わり目に風邪。次回、１０月頃風邪に注意」等のメッセージｆ３が付加データとして生成される。
【００７１】
このようにして、付加データが生成されると、新規の電子カルテデータ及び生成された付加データがＤＢ２０に保存され、ＤＢ２０のデータ更新が行われる（ステップＳ１０６）。データ更新が終了すると、本処理を終了する。
【００７２】
一方、新規の電子カルテと既存の電子カルテのデータにおいて、一致するデータ又は関連するデータが検索されなかった場合は（ステップＳ１０３；Ｎ）、付加データの生成は行われず、本処理を終了する。
【００７３】
次に、メッセージの場合を説明する。
ステップＳ１０７では、入力された新規のメッセージ及び既にメッセージボードに書き込まれており、ＤＢ２０に保存されている既存のメッセージのデータ解析が行われる。例えば図１２（ａ）に示すような新規メッセージＭ１と、既存メッセージＭ２の場合、まず各メッセージ文の形態素解析が行われ、メッセージ文が各単語に分解される。形態素解析とは、辞書データを用いて自然文を単語に分解するものであり、例えば、メッセージＭ１「風邪にかかり始めてから３日後に発熱」は、「風邪」、「に」、「かかり」、・・・、「発熱」等のように分解される。そして、分解された各単語の出現頻度がカウントされ統計がとられる。このとき、「発熱」、「高熱」のように、一致しないが関連語である単語は１つの単語としてカウントできるように辞書データを備えておくこととする。
【００７４】
統計により各単語の出現頻度が求められると、出現頻度が多い単語が抽出され（ステップＳ１０８）、抽出された単語から付加メッセージが生成される（ステップＳ１０９）。図１２（ａ）に示した例では、メッセージＭ１、Ｍ２で出現頻度が多い「風邪」、「かかり」等の各単語が抽出され（図１２（ｂ）参照）、抽出された各単語から図１２（ｃ）に示すように、今年の風邪の傾向を示す付加メッセージＭ３「今年の風邪はかかり始めてから３、４日後に発熱する傾向のようです」が生成される。
【００７５】
このようにして、付加メッセージが生成されると、新規のメッセージ及び生成された付加メッセージのデータがＤＢ２０に保存され、ＤＢ２０のデータ更新が行われる（ステップＳ１０６）。データ更新が終了すると、本処理を終了する。
【００７６】
データ更新後、各端末５０ａ〜５０ｄでは、新規のメッセージデータ及び付加メッセージが追加されたメッセージボードが表示される。
【００７７】
なお、上述した説明では、更新する医療データの例として電子カルテの例を、医療に関するデータの例としてメッセージボードに書き込まれたメッセージの例を挙げたが、診察支援情報等の他の医療データ、病院情報等の他の医療に関するデータが入力された場合も同様の処理が行われる。
【００７８】
以上のように、本実施の形態によれば、電子カルテ等の新規の医療データが入力されると、その新規の医療データの内容及びＤＢ２０内の既存医療データの内容が解析され、そのデータ解析結果に基づいて付加データが生成されてＤＢ２０のデータ更新が行われる。また、患者や医師らにより書き込まれたメッセージ等の医療に関するデータについても、その新規の医療に関するデータの内容及びＤＢ２０内の既存の医療に関するデータの内容が解析され、そのデータ解析結果に基づいて付加データが生成されてＤＢ２０のデータ更新が行われる。これにより、単に医療データを蓄積していくのではなく、常にＤＢ２０を最新の内容に更新することができる。従って、ＤＢ２０内の医療データが利用しやすくなり、蓄積された医療データを有効活用することができる。
【００７９】
また、サーバ１０から医療データ提供サイトを介して各端末５０ａ〜５０ｄに医療データや医療に関するデータを配信するので、電子カルテや診察支援情報を容易に取得することができる。従って、病院の医師だけでなく、患者も自分自身の電子カルテや病気に関する情報等を取得することができ、病気への理解を深めることができる。
【００８０】
なお、本実施の形態における記述内容は、本発明を適用した医療データ提供システム１００の好適な一例であり、これに限定されるものではない。
【００８１】
例えば、付加メッセージを生成する際に、新規のメッセージの内容及び既存のメッセージの内容を形態素解析し、出現頻度の高い単語を用いて付加メッセージを生成する例を説明したが、図９に示すメッセージボードにおいて医師の回答メッセージｄ４「今回の流行性の風邪はかかり始めてから３〜４日後に高熱が出るようです」を付加メッセージとして利用することとしてもよい。
【００８２】
その他、本実施の形態における医療データ提供システム１００の細部構成及び細部動作に関しても、本発明の趣旨を逸脱することのない範囲で適宜変更可能である。
【図面の簡単な説明】
【００８３】
【図１】本実施の形態における医療データ提供システム１００のシステム構成を示す図である。
【図２】サーバ１０の内部構成を示す図である。
【図３】ＤＢ２０のデータ構成例を示す図である。
【図４】患者端末５０ａの内部構成を示す図である。
【図５】各端末５０ａ〜５０ｄにより実行されるデータ取得処理を説明するフローチャートである。
【図６】医療データ提供サイトへのログイン認証を行うための認証画面例を示す図である。
【図７】医療データ提供サイトのトップページの画面例を示す図である。
【図８】新規の電子カルテデータを作成するための新規作成画面例を示す図である。
【図９】情報交換サイトのメッセージボードの画面例を示す図である。
【図１０】サーバ１０により実行されるデータ保存処理を説明するフローチャートである。
【図１１】（ａ）新規電子カルテＣ１と既存電子カルテＣ２のデータ例を示す図である。（ｂ）付加データが生成されてデータ更新が行われた後の新規電子カルテと既存電子カルテのデータ例を示す図である。
【図１２】（ａ）新規メッセージＭ１と既存メッセージＭ２のデータ例を示す図である。（ｂ）データ解析により出現頻度の高い単語が抽出された例を示す図である。（ｃ）生成された付加メッセージ例を示す図である。
【符号の説明】
【００８４】
１００    医療データ提供システム
１０    サーバ
１１    制御部
１２    入力部
１３    表示部
１４    通信部
１５    ＲＡＭ
１６    記憶部
２０    ＤＢ
５０ａ、５０ｂ    患者端末
５０ｃ、５０ｄ    病院端末
５１    制御部
５２    入力部
５３    表示部
５４    通信部
５５    ＲＡＭ
５６    記憶部
Ｎ    通信ネットワーク
【図１】
2005078259.tif 000003
【図２】
2005078259.tif 000004
【図３】
2005078259.tif 000005
【図４】
2005078259.tif 000006
【図５】
2005078259.tif 000007
【図６】
2005078259.tif 000008
【図７】
2005078259.tif 000009
【図８】
2005078259.tif 000010
【図９】
2005078259.tif 000011
【図１０】
2005078259.tif 000012
【図１１】
2005078259.tif 000013
【図１２】
2005078259.tif 000014